(57)【要約】【課題】ユーザ毎に３Ｄ映像−２Ｄ映像間の切り替えを適宜に行うことを可能とするシャッタ眼鏡装置を提供する。【解決手段】実施形態によれば、シャッタ眼鏡装置は、第１のシャッタと、第２のシャッタと、制御手段とを具備する。制御手段は、第１および第２のシャッタを介して目視される画像のフレーム同期信号に基づき、第１および第２のシャッタを駆動制御する。制御手段は、コマンド入力手段と、モード切り替え手段とを有する。コマンド入力手段は、動作モードの切り換えを要求するコマンド信号を入力する。モード切り替え手段は、コマンド信号が入力された場合、第１および第２のシャッタを交互に開閉する第１の動作モードと第１および第２のシャッタを同時に開閉する第２の動作モードとの間の切り替えを実行する。【選択図】図１
2012231296.tif 000002
【特許請求の範囲】
【請求項１】
左眼の視界を開放または遮蔽するための第１のシャッタと、
右眼の視界を開放または遮蔽するための第２のシャッタと、
前記第１のシャッタおよび前記第２のシャッタを介して目視される画像のフレーム同期信号を入力し、このフレーム同期信号に基づき、前記第１のシャッタおよび前記第２のシャッタを駆動制御する制御手段と、
を具備し、
前記制御手段は、
動作モードの切り換えを要求するコマンド信号を入力するコマンド入力手段と、
前記コマンド信号が前記コマンド入力手段によって入力された場合、前記第１のシャッタと前記第２のシャッタとを交互に開閉する第１の動作モードおよび前記第１のシャッタと前記第２のシャッタとを同時に開閉する第２の動作モード間の切り替えを実行するモード切り替え手段と、
を有するシャッタ眼鏡装置。
【請求項２】
操作ボタンを具備し、
前記コマンド入力手段は、前記操作ボタンが操作された場合に発生する操作信号を前記コマンド信号として入力する請求項１に記載のシャッタ眼鏡装置。
【請求項３】
前記第１のシャッタおよび前記第２のシャッタを介して目視される画像のフレームデータは、左眼用の画像と右眼用の画像とが交互に表示されるようにフレームが配置された３次元画像用のフレームデータであり、
前記制御手段は、
前記第１の動作モードの場合、前記フレーム同期信号が左眼用の画像のフレームを示している期間は前記第１のシャッタを開くと共に前記第２のシャッタを閉じ、前記フレーム同期信号が右眼用の画像のフレームを示している期間は前記第１のシャッタを閉じると共に前記第２のシャッタを開き、
前記第２の動作モードの場合、前記フレーム同期信号が左眼用または右眼用の一方の画像のフレームを示している期間は前記第１のシャッタおよび前記第２のシャッタを開き、前記フレーム同期信号が左眼用または右眼用の他方の画像のフレームを示している期間は前記第１のシャッタおよび前記第２のシャッタを閉じる、
ように前記第１のシャッタおよび前記第２のシャッタを駆動制御する請求項１に記載のシャッタ眼鏡装置。
【請求項４】
前記第２の動作モードは、前記３次元画像用のフレームデータから再生された画像を２次元画像として目視するモードである請求項３に記載のシャッタ眼鏡装置。
【請求項５】
左眼の視界を開放または遮蔽するための第１のシャッタと、右眼の視界を開放または遮蔽するための第２のシャッタとを有するシャッタ眼鏡装置を駆動制御するシャッタ眼鏡駆動装置において、
前記シャッタ眼鏡装置を介して目視される画像のフレーム同期信号を入力し、このフレーム同期信号に基づき、前記第１のシャッタおよび前記第２のシャッタを開閉するための制御信号を前記シャッタ眼鏡装置に供給する手段であって、前記シャッタ眼鏡装置の動作モードの切り換えが要求された場合、前記第１のシャッタと前記第２のシャッタとを交互に開閉する第１の動作モードおよび前記第１のシャッタと前記第２のシャッタとを同時に開閉する第２の動作モード間の切り替えが前記シャッタ眼鏡装置上で行われるように前記前記シャッタ眼鏡装置に供給する前記制御信号を切り替える制御手段を具備するシャッタ眼鏡駆動装置。
【請求項６】
前記シャッタ眼鏡装置を介して目視される画像のフレームデータは、左眼用の画像と右眼用の画像とが交互に表示されるようにフレームが配置された３次元画像用のフレームデータであり、
前記制御手段は、
前記第１の動作モードの場合、前記フレーム同期信号が左眼用の画像のフレームを示している期間は前記第１のシャッタを開くと共に前記第２のシャッタを閉じ、前記フレーム同期信号が右眼用の画像のフレームを示している期間は前記第１のシャッタを閉じると共に前記第２のシャッタを開くように前記第１のシャッタおよび前記第２のシャッタを開閉するための第１の制御信号を前記シャッタ眼鏡装置に供給し、
前記第２の動作モードの場合、前記フレーム同期信号が左眼用または右眼用の一方の画像のフレームを示している期間は前記第１のシャッタおよび前記第２のシャッタを開き、前記フレーム同期信号が左眼用または右眼用の他方の画像のフレームを示している期間は前記第１のシャッタおよび前記第２のシャッタを閉じるように前記第１のシャッタおよび前記第２のシャッタを開閉するための第２の制御信号を前記シャッタ眼鏡装置に供給する請求項５に記載のシャッタ眼鏡駆動装置。
【請求項７】
前記第２の動作モードは、前記３次元画像用のフレームデータから再生された画像を２次元画像として目視するモードである請求項６に記載のシャッタ眼鏡駆動装置。
【請求項８】
左眼の視界を開放または遮蔽するための第１のシャッタと、右眼の視界を開放または遮蔽するための第２のシャッタとを、前記第１のシャッタおよび前記第２のシャッタを介して目視される画像のフレーム同期信号に基づいて駆動制御するシャッタ眼鏡装置の動作モード切替方法であって、
動作モードの切り換えを要求するコマンド信号を入力することと、
前記コマンド信号が入力された場合、前記第１のシャッタと前記第２のシャッタとを交互に開閉する第１の動作モードおよび前記第１のシャッタと前記第２のシャッタとを同時に開閉する第２の動作モード間の切り替えを実行することと、
を具備する動作モード切替方法。
【発明の詳細な説明】
【技術分野】
【０００１】
本発明の実施形態は、左眼用の画像と右眼用の画像とを左眼と右眼とで交互に目視させることによって２次元映像を３次元画像のごとく立体視させる立体映像システムに供されるシャッタ眼鏡装置の駆動制御技術に関する。
【背景技術】
【０００２】
２次元（２Ｄ：2-dimensional）画像を３次元（３Ｄ：3-dimensional）画像のごとく立体視させる手法として、左眼用の画像と右眼用の画像とを交互に表示し、これらの画像を左眼と右眼とで交互に目視させる手法が良く知られている。そして、左眼用の画像を左眼で目視させ、かつ、右眼用の画像を右眼で目視させるためのツールとして、シャッタ眼鏡が広く用いられている。
【０００３】
シャッタ眼鏡は、左眼の視界を開放または遮蔽するための左眼用シャッタと、右眼の視界を開放または遮蔽するための右眼用シャッタとを有し、左眼用の画像と右眼用の画像とが交互に並べられたフレームデータのフレーム同期信号に基づき、２つのシャッタを開閉する。シャッタは、通常、透過型の液晶パネルによって構成されている。
【０００４】
また、このシャッタ眼鏡は、２次元画像を３次元画像のごとく立体視させるためのツールとしての用途のほか、例えば、１つの表示装置を目視している複数のユーザに、各々異なる画像を観賞させるためのツールとしても用いられている。
【先行技術文献】
【特許文献】
【０００５】
【特許文献１】特開平１０−２４０２１２号公報
【発明の概要】
【発明が解決しようとする課題】
【０００６】
今日では、同一のコンテンツについて、２Ｄ映像用と３Ｄ映像用との２種類制作することも行われている。よって、ユーザは、各コンテンツを２Ｄ映像または３Ｄ映像のいずれとしても観賞することができる。そして、ユーザは、３Ｄ映像を観賞する場合にシャッタ眼鏡を装着する。
【０００７】
しかしながら、例えば、（シャッタ眼鏡を装着して）映画館で他の観客と共に３Ｄ映像を観賞している途中や、近年普及が進んでいる３Ｄテレビジョン装置で家族や友人らと共に３Ｄ映像を観賞している途中に、２Ｄ映像に切り替えたいと思った場合等、（他のユーザは３Ｄ映像のまま）あるユーザのみ３Ｄ映像から２Ｄ映像へ切り替えるといったことは行えなかった。
【０００８】
本発明は、ユーザ毎に３Ｄ映像−２Ｄ映像間の切り替えを適宜に行うことを可能とするシャッタ眼鏡装置、シャッタ眼鏡駆動装置およびシャッタ眼鏡装置の動作モード切替方法を提供することを目的とする。
【課題を解決するための手段】
【０００９】
実施形態によれば、シャッタ眼鏡装置は、第１のシャッタと、第２のシャッタと、制御手段とを具備する。第１のシャッタは、左眼の視界を開放または遮蔽するためのシャッタである。第２のシャッタは、左眼の視界を開放または遮蔽するためのシャッタである。制御手段は、前記第１のシャッタおよび前記第２のシャッタを介して目視される画像のフレーム同期信号を入力し、このフレーム同期信号に基づき、前記第１のシャッタおよび前記第２のシャッタを駆動制御する。制御手段は、コマンド入力手段と、モード切り替え手段とを有する。コマンド入力手段は、動作モードの切り換えを要求するコマンド信号を入力する。モード切り替え手段は、前記コマンド信号が前記コマンド入力手段によって入力された場合、前記第１のシャッタと前記第２のシャッタとを交互に開閉する第１の動作モードおよび前記第１のシャッタと前記第２のシャッタとを同時に開閉する第２の動作モード間の切り替えを実行する。
【図面の簡単な説明】
【００１０】
【図１】実施形態の立体映像システムの機器構成を示す図。
【図２】実施形態のシャッタ眼鏡の３Ｄモード時の動作を説明するための図。
【図３】実施形態のシャッタ眼鏡の２Ｄモード時の動作を説明するための図。
【図４】実施形態のシャッタ眼鏡の外観の一例を示す図。
【図５】実施形態のシャッタ眼鏡の３Ｄモード時の動作と２Ｄモード時の動作との違いを示すための図。
【図６】実施形態のシャッタ眼鏡の切り替えボタン操作時の動作の流れを示すフローチャート。
【発明を実施するための形態】
【００１１】
以下、実施の形態について図面を参照して説明する。
【００１２】
図１は、本実施形態の立体映像システムの機器構成を示す図である。
【００１３】
図１に示すように、本実施形態の立体映像システムは、シャッタ眼鏡１、表示装置２および画像再生装置３によって構成される。
【００１４】
ユーザは、シャッタ眼鏡１を装着して、表示装置２に表示される画像を観賞する。画像再生装置３は、表示装置２に対して３Ｄ映像用のフレームデータを供給すると共に、シャッタ眼鏡１に対してフレーム同期信号を供給する。なお、画像再生装置３は、表示装置２に対して２Ｄ映像用のフレームデータを供給することも可能である。この場合、シャッタ眼鏡１の装着は不要である。また、図１には、シャッタ眼鏡１を１つのみ示したが、画像再生装置３は、表示装置２に供給する３Ｄ映像用のフレームデータに対応するフレーム同期信号を同時に複数のシャッタ眼鏡１に供給することができる。
【００１５】
シャッタ眼鏡１は、制御部１１、左眼の視界を開放または遮蔽するための左眼用シャッタ（Ｌシャッタ）１２、右眼の視界を開放または遮蔽するための右眼用シャッタ（Ｒシャッタ）１３および切り替えボタン１４を有している。Ｌシャッタ１２およびＲシャッタ１３は、例えば透過型の液晶パネルで構成される。制御部１１は、Ｌシャッタ１２およびＲシャッタ１３を駆動制御するモジュールであって、画像再生装置３から供給されるフレーム同期信号に基づき、Ｌシャッタ１２およびＲシャッタ１３を開閉させるためのシャッタ制御信号Ｌおよびシャッタ制御信号Ｒを生成して、Ｌシャッタ１２およびＲシャッタ１３に各々供給する。
【００１６】
また、制御部１１は、切り替えボタン１４が操作される毎に、シャッタ眼鏡１を３Ｄモード（第１の動作モード）から２Ｄモード（第２の動作モード）に、または、２Ｄモードから３Ｄモードに切り替える処理を実行するモード切り替え部１１１を備えている。３Ｄモードは、画像再生装置３から表示装置２に対して３Ｄ映像用のフレームデータが供給されている場合において、表示装置２に表示される映像をユーザに３Ｄ映像として観賞させるモードである。これに対して、２Ｄモードは、表示装置２に表示される（３Ｄ用の）映像をユーザに２Ｄ映像として観賞させるモードである。つまり、本実施形態の立体映像システムにおいては、例えば複数のユーザが各々シャッタ眼鏡１を装着して表示装置２に表示される３Ｄ用の映像を観賞している場合に、ユーザ毎に３Ｄ映像−２Ｄ映像間の切り替えを適宜に行えるわけであり、以下、この点について詳述する。
【００１７】
まず、図２を参照して、３Ｄモード時のシャッタ眼鏡１の動作、より具体的には、制御部１１がＬシャッタ１２およびＲシャッタ１３をどのように駆動制御するのかを説明するための概念図である。
【００１８】
図２の（Ａ）は、画像再生装置３が表示装置２に供給する３Ｄ映像用のフレームデータを表している。図示のように、３Ｄ映像用のフレームデータは、左眼用の画像（Ｌ）と右眼用の画像（Ｒ）とが交互に並べられている。
【００１９】
また、前述したように、フレームデータに対応するフレーム同期信号が、画像再生装置３からシャッタ眼鏡１に供給される。制御部１１は、このフレーム同期信号に基づき、シャッタ制御信号Ｌおよびシャッタ制御信号Ｒを生成する。図２の（Ｂ）は、３Ｄモード時に制御部１１が生成するシャッタ制御信号Ｌを示し、図２の（Ｃ）は、３Ｄモード時に制御部１１が生成するシャッタ制御信号Ｒを示している。
【００２０】
ここでは、Ｌシャッタ１２およびＲシャッタ１３は、シャッタ制御信号Ｌ，ＲがＨｉｇｈレベルの時は開状態となり、シャッタ制御信号Ｌ，ＲがＬｏｗレベルの時は閉状態となるものと想定する。図２の（Ｂ），（Ｃ）に示すように、制御部１１は、表示装置２に左眼用の画像が表示されている期間はＬシャッタ１２が開状態となってＲシャッタ１３が閉状態となり、また、表示装置２に右眼用の画像が表示されている期間はＬシャッタ１２が閉状態となってＲシャッタ１３が開状態となるように、シャッタ制御信号Ｌおよびシャッタ制御信号Ｒを生成する。
【００２１】
これにより、シャッタ眼鏡１を装着するユーザは、表示装置２に交互に表示される左眼用の画像と右眼用の画像とを、左眼と右眼とで交互に目視することになり、立体視を体感することとなる。
【００２２】
次に、図３を参照して、２Ｄモード時のシャッタ眼鏡１の動作、より具体的には、制御部１１がＬシャッタ１２およびＲシャッタ１３をどのように駆動制御するのかを説明するための概念図である。
【００２３】
図３の（Ａ）は、図２の（Ａ）と同様、画像再生装置３が表示装置２に供給する３Ｄ映像用のフレームデータを表している。また、図３の（Ｂ）は、２Ｄモード時に制御部１１が生成するシャッタ制御信号Ｌを示し、図３の（Ｃ）は、２Ｄモード時に制御部１１が生成するシャッタ制御信号Ｒを示している。
【００２４】
２Ｄモードの場合、制御部１１は、図３の（Ｂ），（Ｃ）に示すように、表示装置２に左眼用の画像が表示されている期間はＬシャッタ１２およびＲシャッタ１３が共に開状態となり、また、表示装置２に右眼用の画像が表示されている期間はＬシャッタ１２およびＲシャッタ１３が共に閉状態となるように、シャッタ制御信号Ｌおよびシャッタ制御信号Ｒを生成する。なお、制御部１１は、これとは逆に、表示装置２に左眼用の画像が表示されている期間はＬシャッタ１２およびＲシャッタ１３が共に閉状態となり、また、表示装置２に右眼用の画像が表示されている期間はＬシャッタ１２およびＲシャッタ１３が共に開状態となるように、シャッタ制御信号Ｌおよびシャッタ制御信号Ｒを生成することも可能である。
【００２５】
これにより、シャッタ眼鏡１を装着するユーザは、表示装置２に交互に表示される左眼用の画像と右眼用の画像とのいずれか一方のみを両眼で目視することになる。この場合には、ユーザは、立体視を体感することはない。つまり、ユーザに、３Ｄ映像を２Ｄ映像として観賞させることが実現される。
【００２６】
そして、制御部１１のモード切り替え部１１１は、切り替えボタン１４が操作された場合に、３Ｄモードであったならば、Ｌシャッタ１２およびＲシャッタ１３に供給するシャッタ制御信号Ｌ，Ｒを、図２の（Ｂ），（Ｃ）に示すパターンから図３の（Ｂ），（Ｃ）に示すパターンに切り替える。また、２Ｄモードであったならば、Ｌシャッタ１２およびＲシャッタ１３に供給するシャッタ制御信号Ｌ，Ｒを、図３の（Ｂ），（Ｃ）に示すパターンから図２の（Ｂ），（Ｃ）に示すパターンに切り替える。
【００２７】
図４は、シャッタ眼鏡１の外観の一例を示す図である。切り替えボタン１４は、例えばユーザがシャッタ眼鏡１を装着したまま操作可能な位置に配置される。つまり、シャッタ眼鏡１を外すことなく、ユーザは、３Ｄ映像−２Ｄ映像間の切り替えを適宜に行うことができる。切り替えボタン１４は、操作されると、操作信号を発生させる。制御部１１のモード切り替え部１１１は、この操作信号を３Ｄ映像−２Ｄ映像間の切り替えを要求するコマンドとして入力する。
【００２８】
また、図５は、シャッタ眼鏡１の３Ｄモード時の動作と２Ｄモード時の動作との違いを示すための概念図である。
【００２９】
図５の（Ａ）は、３Ｄモード時におけるシャッタ眼鏡１のＬシャッタ１２およびＲシャッタ１３の開閉の様子を示す図であり、図５の（Ｂ）は、２Ｄモード時におけるシャッタ眼鏡１のＬシャッタ１２およびＲシャッタ１３の開閉の様子を示す図である。
【００３０】
図５の（Ａ）に示すように、３Ｄモードの場合、Ｌシャッタ１２とＲシャッタ１３とが交互に開閉される。一方、２Ｄモードの場合、図５の（Ｂ）に示すように、Ｌシャッタ１２とＲシャッタ１３とが同時に開閉される。なお、図５には、２Ｄモード時、左眼用の画像が表示されている期間にＬシャッタ１２とＲシャッタ１３とが開状態となり、右眼用の画像が表示されている期間にＬシャッタ１２とＲシャッタ１３とが閉状態となる例を示したが、これとは逆に、左眼用の画像が表示されている期間にＬシャッタ１２とＲシャッタ１３とが閉状態となり、右眼用の画像が表示されている期間にＬシャッタ１２とＲシャッタ１３とが開状態となる場合も考えられ得る。
【００３１】
図６は、切り替えボタン１４が操作された場合のシャッタ眼鏡１の動作の流れを示すフローチャートである。
【００３２】
制御部１１のモード切り替え部１１１は、切り替えボタン１４が操作されたことによって発生した操作信号を入力すると、シャッタ眼鏡１が現在３Ｄモードで動作しているか否かを判定する（ブロックＡ１）。３Ｄモードの場合（ブロックＡ１のＹＥＳ）、モード切り替え部１１１は、２Ｄモードへの切り替えを実行する（ブロックＡ２）。一方、２Ｄモードの場合（ブロックＡ１のＮＯ）、モード切り替え部１１１は、３Ｄモードへの切り替えを実行する（ブロックＡ３）。
【００３３】
このように、本実施形態のシャッタ眼鏡１は、切り替えボタン１４を操作するだけで、ユーザ毎に３Ｄ映像−２Ｄ映像間の切り替えを適宜に行うことを可能とする。
【００３４】
なお、表示装置２は、３Ｄテレビジョン装置に限らず、パーソナルコンピュータや外部表示器でも構わない。
【００３５】
また、以上の説明では、図４に一例を示したように、切り替えボタン１４をシャッタ眼鏡１に配置する例を示したが、これに代えて、３Ｄ映像−２Ｄ映像間の切り替えを要求するコマンドを外部から入力する手段を設けるようにしても良い。例えば映画館の各座席に切り替えボタン１４を配置し、この切り替えボタン１４の操作によって発生した操作信号を有線通信または無線通信でシャッタ眼鏡１に供給するといった構成を取ることも可能である。その他、例えば、シャッタ眼鏡１への無線通信による指示を、リモートコントローラのボタン操作や無線通信機能を有するパーソナルコンピュータのキー操作によって行うようにしてもよい。
【００３６】
また、以上の説明では、Ｌシャッタ１２およびＲシャッタ１３を駆動制御する制御部１１をシャッタ眼鏡１内に設ける例を示したが、これに代えて、シャッタ眼鏡１を駆動制御する（制御部１１に相当する）シャッタ眼鏡駆動装置を別途設けるようにしても良い。即ち、シャッタ眼鏡駆動装置でＬシャッタ１２およびＲシャッタ１３を開閉するためのシャッタ制御信号Ｌ，Ｒを生成し、有線通信または無線通信でシャッタ眼鏡１に供給する。この場合、３Ｄ映像−２Ｄ映像間の切り替え制御は、シャッタ眼鏡１を駆動制御するシャッタ眼鏡駆動装置が司ることとなる。
【００３７】
このように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３８】
１…シャッタ眼鏡、２…表示装置、３…画像再生装置、１１…制御部、１２…左眼用シャッタ（Ｌシャッタ）、１３…右眼用シャッタ（Ｒシャッタ）、１４…切り替えボタン、１１１…モード切り替え部。
【図１】
2012231296.tif 000003
【図２】
2012231296.tif 000004
【図３】
2012231296.tif 000005
【図４】
2012231296.tif 000006
【図５】
2012231296.tif 000007
【図６】
2012231296.tif 000008